(57)【特許請求の範囲】
【請求項１】
ＣＴＩ機能を有し、代表番号制をとる複数の外線電話回線用の外線収容ボードを収容する外線収容タイプの構内交換機用の回線回避装置であって、構内交換機の局線側に挿入する回線切替マトリクスと、該回線切替マトリクスを介して構内交換機の故障回線を回避させるマイクロコンピュータとを備えてなり、前記回線切替マトリクスの局線側には、局線側からの呼出し信号、各回線の話中状態をそれぞれ着信信号、話中信号として前記マイクロコンピュータに出力する検出部を回線ごとに設け、前記マイクロコンピュータは、前記検出部からの着信信号が設定コール回数を超えて発生することにより構内交換機の回線の故障を検出すると、前記検出部からの話中信号が発生していないことに基づき、話中でない正常回線を回避用の回線として下位優先に選択することを特徴とする回線回避装置。
【請求項２】
ＣＴＩ機能を有し、外線収容ボード、内線収容ボードを収容する外内線収容タイプの構内交換機用の回線回避装置であって、構内交換機の局線側、内線端末側の双方に共通に挿入する回線切替マトリクスと、該回線切替マトリクスを介して構内交換機の故障回線を回避させるマイクロコンピュータとを備えてなり、前記回線切替マトリクスの局線側には、局線側からの呼出し信号、各回線の話中状態をそれぞれ着信信号、話中信号として前記マイクロコンピュータに出力する検出部を回線ごとに設け、前記回線切替マトリクスの内線収容ボード側には、各回線の話中状態を話中信号として前記マイクロコンピュータに出力する検出部を回線ごとに設け、前記マイクロコンピュータは、局線側の前記検出部からの着信信号が設定コール回数を超えて発生することにより構内交換機の回線の故障を検出すると、内線収容ボード側の前記検出部からの話中信号が発生していないことに基づき、話中でない内線端末回線を回避用の回線として選択することを特徴とする回線回避装置。
【請求項３】
前記回線切替マトリクスの内線収容ボード側には、話中設定部を回線ごとに設け、前記マイクロコンピュータは、前記話中設定部を介して、回避用の回線として選択した内線端末回線の構内交換機側を連続的に話中にすることを特徴とする請求項２記載の回線回避装置。
【請求項４】
ＣＴＩ機能を有し、メイン回線収容ボード、サブ回線収容ボードを収容する外内線混在収容タイプの構内交換機用の回線回避装置であって、構内交換機の局線側、内線端末側に挿入する回線切替マトリクスと、該回線切替マトリクスを介して構内交換機の故障回線を回避させるマイクロコンピュータとを備えてなり、前記回線切替マトリクスの局線側、内線端末側には、局線側からの呼出し信号、各回線の話中状態をそれぞれ着信信号、話中信号として前記マイクロコンピュータに出力する検出部を回線ごとに設け、前記マイクロコンピュータは、前記検出部からの着信信号が設定コール回数を超えて発生することにより構内交換機のメイン回線収容ボード内の１回線の故障を検出すると、サブ回線収容ボード内の回線を回避用の回線として一括選択することを特徴とする回線回避装置。
【請求項５】
前記回線切替マトリクスの局線側の回線と内線端末側の回線との間には、パッチコードを使用するパッチパネルを介装し、前記マイクロコンピュータは、構内交換機のシステムダウンが発生すると、前記パッチコードを介して内線端末回線を回避用の回線として選択することを特徴とする請求項４記載の回線回避装置。
【発明の詳細な説明】
【０００１】
【発明の属する技術分野】
この発明は、ＣＴＩ（Ｃｏｍｐｕｔｅｒ  Ｔｅｌｅｐｈｏｎｙ  Ｉｎｔｅｇｒａｔｉｏｎ）機能を有する構内交換機の故障時において、電話回線を効果的に回避することができる回線回避装置に関する。
【０００２】
【従来の技術】
ＰＢＸ等の電話系のシステムと、ＰＣ  ＬＡＮ、ＦＡＸ等の情報処理系のシステムとを統合する自動交換システムは、ＣＴＩ機能を有する構内交換機として急速に普及しつつある。
【０００３】
ＣＴＩ機能を有する構内交換機は、電話網のディジタル化に伴い、同様のディジタル信号を扱うパーソナルコンピュータ等の情報処理系との親和性が向上したことにより、電話系のシステムと情報処理系のシステムとを統合して両者の機能を相互補完し、業務の効率化、高度化を実現することができる。
【０００４】
【発明が解決しようとする課題】
かかる従来技術によるときは、ＣＴＩ機能を有する構内交換機は、情報処理系に含まれるパーソナルコンピュータが暴走したりしてシステムダウンが発生すると、外部からの電話の着信機能がすべて失われ、電話系のシステムまでが機能喪失に陥ることが少なくないという問題があった。
【０００５】
そこで、この発明の目的は、かかる従来技術の問題に鑑み、回線切替マトリクスと、マイクロコンピュータとを備えることによって、ＣＴＩ機能を有する構内交換機の故障時において、電話回線を有効に回避させ、電話系のシステムの機能を正常に維持することができる回線回避装置を提供することにある。
【０００６】
【課題を解決するための手段】
かかる目的を達成するための請求項１に係る発明の構成は、ＣＴＩ機能を有し、代表番号制をとる複数の外線電話回線用の外線収容ボードを収容する外線収容タイプの構内交換機用の回線回避装置であって、構内交換機の局線側に挿入する回線切替マトリクスと、回線切替マトリクスを介して構内交換機の故障回線を回避させるマイクロコンピュータとを備えてなり、回線切替マトリクスの局線側には、局線側からの呼出し信号、各回線の話中状態をそれぞれ着信信号、話中信号としてマイクロコンピュータに出力する検出部を回線ごとに設け、マイクロコンピュータは、検出部からの着信信号が設定コール回数を超えて発生することにより構内交換機の回線の故障を検出すると、検出部からの話中信号が発生していないことに基づき、話中でない正常回線を回避用の回線として下位優先に選択することをその要旨とする。
【０００７】
請求項２に係る発明の構成は、ＣＴＩ機能を有し、外線収容ボード、内線収容ボードを収容する外内線収容タイプの構内交換機用の回線回避装置であって、構内交換機の局線側、内線端末側の双方に共通に挿入する回線切替マトリクスと、回線切替マトリクスを介して構内交換機の故障回線を回避させるマイクロコンピュータとを備えてなり、回線切替マトリクスの局線側には、局線側からの呼出し信号、各回線の話中状態をそれぞれ着信信号、話中信号としてマイクロコンピュータに出力する検出部を回線ごとに設け、回線切替マトリクスの内線収容ボード側には、各回線の話中状態を話中信号としてマイクロコンピュータに出力する検出部を回線ごとに設け、マイクロコンピュータは、局線側の検出部からの着信信号が設定コール回数を超えて発生することにより構内交換機の回線の故障を検出すると、内線収容ボード側の検出部からの話中信号が発生していないことに基づき、話中でない内線端末回線を回避用の回線として選択することをその要旨とする。
【０００８】
なお、回線切替マトリクスの内線収容ボード側には、話中設定部を回線ごとに設け、マイクロコンピュータは、話中設定部を介して、回避用の回線として選択した内線端末回線の構内交換機側を連続的に話中にすることができる。
【０００９】
請求項４に係る発明の構成は、ＣＴＩ機能を有し、メイン回線収容ボード、サブ回線収容ボードを収容する外内線混在収容タイプの構内交換機用の回線回避装置であって、構内交換機の局線側、内線端末側に挿入する回線切替マトリクスと、回線切替マトリクスを介して構内交換機の故障回線を回避させるマイクロコンピュータとを備えてなり、回線切替マトリクスの局線側、内線端末側には、局線側からの呼出し信号、各回線の話中状態をそれぞれ着信信号、話中信号としてマイクロコンピュータに出力する検出部を回線ごとに設け、マイクロコンピュータは、検出部からの着信信号が設定コール回数を超えて発生することにより構内交換機のメイン回線収容ボード内の１回線の故障を検出すると、サブ回線収容ボード内の回線を回避用の回線として一括選択することをその要旨とする。
【００１０】
なお、回線切替マトリクスの局線側の回線と内線端末側の回線との間には、パッチコードを使用するパッチパネルを介装し、マイクロコンピュータは、構内交換機のシステムダウンが発生すると、パッチコードを介して内線端末回線を回避用の回線として選択することができる。
【００１１】
【作用】
かかる発明の構成によるときは、マイクロコンピュータは、回線切替マトリクスを介し、ＣＴＩ機能を有する構内交換機の故障回線を回避させる。すなわち、マイクロコンピュータは、構内交換機の特定の回線に故障が生じたことを検出すると、回線切替マトリクスを介して当該回線の構内交換機側を別の回線に自動的に切り替え、外部からの電話の着信機能を維持させることができる。なお、特定の回線の故障は、外部からの呼出し信号のコール回数が過大であることを検出して簡単に検出することができる。一般に、ＣＴＩ機能付きの構内交換機には、設定コール回数以内に自動応答する自動着信機能が組み込まれているからである。
【００１２】
マイクロコンピュータは、回避用の回線として、話中でない正常回線を下位優先に選択することにより、呼出し頻度が少ない下位回線を有効に活用することができる。ただし、この方式は、代表番号制をとる複数の外線電話回線用の外線収容ボードを収容する外線収容タイプの構内交換機に適用するものとする。そこで、構内交換機が複数の外線収容ボードを収容するとき、下位回線は、一般に、故障回線と物理的に異なる外線収容ボードに収容されているから、この方式は、外線収容ボード自体の故障に対しても有効に対処することができる。
【００１３】
なお、マイクロコンピュータは、回避用の回線として選択した下位回線に故障が検出されると、次の上位の話中でない正常回線を再選択する。ただし、このような再選択の回数は、あらかじめ設定する上限回数以内に制限するものとする。また、最初の故障回線を回避した後、別の故障回線が検出されたときも、次の上位の話中でない正常回線を回避用の回線として選択する。ただし、このようにして回避される回線数も、あらかじめ設定する上限回線数以内に制限するものとする。
【００１４】
回避用の回線として選択した正常回線の局線側を話中とすれば、同回線が回避用の回線として使用されており、外部からの着信が受付け不能の状態にあることを外部から容易に確認することができる。ただし、回避用の回線として選択された回線は、同回線に対する呼出し信号が検出されたら、約０．５秒程度の短時間だけ局線側を話中にし、正規の長時間の話中と区別させるものとする。回線の局線側は、正規の話中以外にこれを連続的に話中にすることが許されないからである。
【００１５】
マイクロコンピュータは、回避用の専用端末回線を設定することにより、構内交換機を完全にバイパスさせ、専用端末によって外部からの電話の最少限の着信機能を確保することができる。なお、このときの専用端末は、一般に１台のみでよいが、２以上の専用端末回線を設けて２台以上としてもよい。また、複数台の構内交換機を並設するとき、すべての構内交換機に共通に１台のみの専用端末を設けてもよい。
【００１６】
マイクロコンピュータは、回避用の回線として、話中でない内線端末回線を選択することにより、内線端末を有効に活用することができる。なお、この方式は、外線収容ボード、内線収容ボードの双方を有する外内線収容タイプの構内交換機に適用するものとし、このときの回線切替マトリクスは、構内交換機の局線側、内線端末側の双方に共通に挿入するものとする。
【００１７】
回避用の回線として選択された内線端末回線の構内交換機側を話中とすれば、同内線端末回線が回避用の回線として使用されていることを他の内線端末から容易に確認することができる。ただし、回避用の回線として選択された内線端末回線は、構内交換機側を連続的に話中にしてよい。
【００１８】
マイクロコンピュータは、回避用の回線として、サブ回線収容ボード内の回線を一括選択することにより、メイン回線収容ボード、サブ回線収容ボードを収容する外内線混在収容タイプの構内交換機に対し、サブ回線収容ボードをメイン回線収容ボードのバックアップとして有効に活用することができる。
【００１９】
また、マイクロコンピュータは、回避用の回線として、パッチコードを介して内線端末回線を選択することにより、外内線混在収容タイプの構内交換機に対し、内線端末を有効に活用することができる上、パッチコードを使用するため、外線、内線の各収容数が異なる場合であっても、簡単に対処することができる。なお、この場合の構内交換機は、サブ回線収容ボードを収容せず、メイン回線収容ボードのみを収容する外内線混在収容タイプであってもよい。
【００２０】
【発明の実施の形態】
以下、図面を以って発明の実施の形態を説明する。
【００２１】
回線回避装置１０は、回線切替マトリクス１１と、マイクロコンピュータ１２とを備えてなる（図１、図２）。ただし、構内交換機Ｐは、ＣＴＩ機能を有し、外線収容ボードＰ1 、Ｐ1 を収納する外線収容タイプであって（図１、図３）、回線切替マトリクス１１は、各外線収容ボードＰ1 に収容する所定の回線数ごとに分割して構内交換機Ｐの局線Ｌ側に挿入されている。
【００２２】
構内交換機Ｐの外線収容ボードＰ1 、Ｐ1 には、回線切替マトリクス１１、１１を介し、局線Ｌからの代表番号制をとる複数の外線電話回線が接続されている。また、各回線切替マトリクス１１には、ジャンパ端子ＭＡ、ＭＢが付設されており、ジャンパ端子ＭＡ、ＭＢは、回線切替マトリクス１１、１１の任意の回線を引き出して直列接続するとともに、専用端末Ｑ1 に接続されている。
【００２３】
回線切替マトリクス１１の局線Ｌ側には、各回線ごとに、検出部１３、話中設定部１４が付設されている（図１、図２）。ただし、図２において、検出部１３、回線切替マトリクス１１は、すべての回線に対してそれぞれ１個のみが代表的に図示されており、話中設定部１４は、図示が省略されている。
【００２４】
各検出部１３の出力は、マイクロコンピュータ１２に接続されており、マイクロコンピュータ１２には、設定スイッチ１２ａ、回線状態表示器１２ｂが付設されている。また、マイクロコンピュータ１２の出力は、切替制御部１２ｃを介して回線切替マトリクス１１に接続されている。さらに、回線回避装置１０の各部に給電するために電源１５が配設されており、電源１５には、コンセントＣＳを介して商用電源が給電されている。
【００２５】
各検出部１３は、各回線の信号線Ｌ1 、Ｌ2 に対し、コンデンサＣを介して着信検出部１３ａを接続するとともに（図４）、光カップラ素子ＬＤ、ＬＤを介して話中検出部１３ｂを接続して構成されている。着信検出部１３ａは、コンデンサＣを介し、信号線Ｌ1 、Ｌ2 を介して局線Ｌ側から伝送される呼出し信号を検出し、各回線の着信信号Ｓ1 としてマイクロコンピュータ１２に出力することができる。また、話中検出部１３ｂは、発光ダイオード、フォトトランジスタの組合せからなる光カップラ素子ＬＤ、ＬＤを信号線Ｌ1 、Ｌ2 の一方に逆方向に挿入して信号線Ｌ1 、Ｌ2 上の話中の信号電流を検出し、各回線の話中状態（ビジー状態）を話中信号Ｓ2 としてマイクロコンピュータ１２に送出することができる。
【００２６】
各話中設定部１４は、各回線の信号線Ｌ1 、Ｌ2 に対し、リレー接点ＲＹa を介して抵抗Ｒを挿入する（図５）。ただし、抵抗Ｒは、信号線Ｌ1 、Ｌ2 上の話中の信号電流相当の電流を通電させるように抵抗値を設定するものとし、リレー接点ＲＹa の図示しないコイルは、切替制御部１２ｃを介し、マイクロコンピュータ１２の出力によって駆動するものとする。
【００２７】
構内交換機Ｐの各回線が正常であるとき、回線切替マトリクス１１、１１は、それぞれ局線Ｌ側の入力端子ＩＡi （ｉ＝１、２…ｎ）、ＩＢi （ｉ＝１、２…ｎ）と、構内交換機Ｐの外線収容ボードＰ1 、Ｐ1 側の出力端子ＯＡi （ｉ＝１、２…ｎ）、ＯＢi （ｉ＝１、２…ｎ）とをｎ：ｎに対応させて接続している（図６（Ａ））。すなわち、外部の局線Ｌからの複数の回線の呼出し信号は、それぞれ回線切替マトリクス１１、１１の各入力端子ＩＡi 、ＩＢi と、それに対応する各出力端子ＯＡi 、ＯＢi とを介して構内交換機Ｐの外線収容ボードＰ1 、Ｐ1 に到達し、構内交換機Ｐにおいて正常に着信処理することができる。なお、このとき、各回線の検出部１３に含まれる着信検出部１３ａは、局線Ｌからの呼出し信号を検出して着信信号Ｓ1 を発生するが、このときのマイクロコンピュータ１２は、構内交換機Ｐが所定の設定コール回数以内に正常に自動応答することにより、何ら格別な動作をすることがない。
【００２８】
構内交換機Ｐ内において任意の１回線が故障すると、マイクロコンピュータ１２は、当該回線に対する自動応答が正常に行なわれず、当該回線の検出部１３からの着信信号Ｓ1 が設定コール回数を超えて発生することを検出して当該回線の故障を検出する。そこで、このときのマイクロコンピュータ１２は、切替制御部１２ｃを介して回線切替マトリクス１１、１１の接続状態を切り替え、回線切替マトリクス１１、１１を介し、回避用の回線として、話中でない正常回線を下位優先に選択する。
【００２９】
たとえば、出力端子ＯＡ1 に対応する最上位の回線の故障を検出すると（図６（Ｂ））、マイクロコンピュータ１２は、出力端子ＯＢn に対応する最下位の回線が話中でないことを確認し、入力端子ＩＡ1 を出力端子ＯＢn に接続することにより、出力端子ＯＢn に対応する回線を回避用の回線として選択する。なお、このとき、マイクロコンピュータ１２は、入力端子ＩＢn 、出力端子ＯＢn に対応する回線が話中でないことを、当該回線の検出部１３内の話中検出部１３ｂから話中信号Ｓ2 が発生していないことに基づいて確認することができる。
【００３０】
また、マイクロコンピュータ１２は、回避用の回線として選択された回線の入力端子ＩＢn に対し、その回線の話中設定部１４を作動させる。すなわち、局線Ｌ側から入力端子ＩＢn に呼出し信号が到達すると、マイクロコンピュータ１２は、話中設定部１４のリレー接点ＲＹa を所定の短時間だけ閉じて話中設定部１４を作動させ、局線Ｌ側を話中にする。なお、故障によって回避された出力端子ＯＡ1 側は、開放のままに放置してよい。また、回避用の回線として選択する最下位の回線が話中であるとき、マイクロコンピュータ１２は、次位の上位回線を順に選択するとともに、当該回線の局線Ｌ側を話中にするものとする。
【００３１】
つづいて、出力端子ＯＡn に対応する別の回線の故障を検出すると（図６（Ｃ））、マイクロコンピュータ１２は、回避用の回線として、最下位の回線から次位の上位回線である入力端子ＩＢn-1 、出力端子ＯＢn-1 に対応する回線を選択するとともに、当該回線の入力端子ＩＢn-1 に対し、その回線の話中設定部１４を作動させて当該回線の局線Ｌ側を話中にする。ただし、このときも、マイクロコンピュータ１２は、入力端子ＩＢn-1 、出力端子ＯＢn-1 に対応する回線を回避用の回線として選択するに先き立って、当該回線が話中でないことを確認するものとする。
【００３２】
以下、同様にして、任意の回線の故障を検出する都度、マイクロコンピュータ１２は、回線切替マトリクス１１、１１を介し、回避用の回線として、話中でない正常回線を下位優先に選択することができる。なお、マイクロコンピュータ１２は、回避用の回線として選択した回線に故障が検出されると、さらに別の次位の上位回線を回避用の回線として再選択する。ただし、このようにして再選択する回数は、設定スイッチ１２ａを介して設定する上限回数以内に制限するものとする。また、２以上の回線の故障に対して回避される回線数も、設定スイッチ１２ａを介して設定する上限回線数以内に制限するものとする。
【００３３】
マイクロコンピュータ１２は、構内交換機Ｐ内の任意の回線の故障を検出すると、回避用の回線として専用端末Ｑ1 用の専用端末回線を選択するように、設定スイッチ１２ａを介して設定することができる。たとえば、出力端子ＯＡ1 に対応する回線の故障が検出されると、マイクロコンピュータ１２は、回線切替マトリクス１１、１１のジャンパ端子ＭＡ、ＭＢを介し、入力端子ＩＡ1 を専用端末Ｑ1 に直結することができる（図６（Ｄ））。このような専用端末Ｑ1 による回避は、たとえば代表番号に対応する最上位の回線の故障や、構内交換機Ｐのシステムダウンによる全回線の故障、あらかじめ設定する上限回数または上限回線数を超える回避動作等に対して設定しておくことが好ましい。なお、図６（Ｄ）において、専用端末Ｑ1 は、回線切替マトリクス１１、１１に対して共通の１台のみが用意されているが、これに代えて、回線切替マトリクス１１ごとに用意してもよい。
【００３４】
また、マイクロコンピュータ１２は、各回線の正常状態、故障状態の別に加えて、話中状態、呼出し状態等の回線状態を回線状態表示器１２ｂ上にリアルタイムに表示することができる。
【００３５】
【他の実施の形態】
回線切替マトリクス１１は、外線収容ボードＰ1 、内線収容ボードＰ2 を収容する外内線収容タイプの構内交換機Ｐに対し、局線Ｌ側、内線端末Ｑ2 側の双方に共通に挿入することができる（図７、図８）。
【００３６】
回線切替マトリクス１１の局線Ｌ側には、各回線ごとに、検出部１３、話中設定部１４が付設されており、構内交換機Ｐの内線収容ボードＰ2 側には、各回線ごとに、話中設定部１４、検出部１６が付設されている。ただし、検出部１６には、光カップラ素子ＬＤ、ＬＤによる話中検出部１３ｂのみが組み込まれている（図９）。
【００３７】
構内交換機Ｐの各回線が正常であるとき、回線切替マトリクス１１は、局線Ｌ側の入力端子ＩＡi と、構内交換機Ｐの外線収容ボードＰ1 側の出力端子ＯＡi とをｎ：ｎに対応させ、構内交換機Ｐの内線収容ボードＰ2 側の出力端子ＯＢi と、内線端末Ｑ2 側の入力端子ＩＢi とをｎ：ｎに対応させて接続している（図１０（Ａ））。そこで、構内交換機Ｐは、局線Ｌからの呼出し信号に応じて外線電話を正常に着信処理するとともに、内線端末Ｑ2 からの呼出し信号に応じて内線電話の着信処理をすることができる。
【００３８】
構内交換機Ｐ内において任意の１回線が故障すると、マイクロコンピュータ１２は、回線切替マトリクス１１を介し、回避用の回線として、話中でない内線端末Ｑ2 用の内線端末回線を選択する（図１０（Ｂ））。
【００３９】
たとえば、出力端子ＯＡ1 に対応する回線の故障を検出すると、マイクロコンピュータ１２は、検出部１６からの話中信号Ｓ2 がないことに基づいて入力端子ＩＢ1 、出力端子ＯＢ1 に対応する内線端末回線が話中でないことを確認した上、入力端子ＩＡ1 を入力端子ＩＢ1 に直結するとともに、出力端子ＯＢ1 に対し、その回線の話中設定部１４を介して構内交換機Ｐの内線収容ボードＰ2 側を連続的に話中にする。なお、マイクロコンピュータ１２は、入力端子ＩＢ1 、出力端子ＯＢ1 の内線端末回線が話中であると、回避用の回線として、入力端子ＩＢ2 、出力端子ＯＢ2 に対応する次位の内線端末回線を選択すればよい。また、マイクロコンピュータ１２は、構内交換機Ｐにおいてさらに他の回線の故障が発生する都度、回線切替マトリクス１１を介して同様の回避動作を繰り返すものとする。
【００４０】
回線切替マトリクス１１は、メイン回線収容ボードＰ3a、サブ回線収容ボードＰ3bを収容する外内線混在収容タイプの構内交換機Ｐに対して適用してもよい（図１１、図１２）。
【００４１】
回線切替マトリクス１１の局線Ｌ、内線端末Ｑ2 側には、各回線ごとに、検出部１３が付設されており、回線切替マトリクス１１の局線Ｌ側の回線と、内線端末Ｑ2 側の回線との間には、パッチコード１７ａを使用するパッチパネル１７が介装されている。
【００４２】
構内交換機Ｐの各回線が正常であるとき、回線切替マトリクス１１は、局線Ｌ、内線端末Ｑ2 側の入力端子ＩＡi と、構内交換機Ｐのメイン回線収容ボードＰ3a側の出力端子ＯＡi とをｎ：ｎに対応させて接続している（図１３（Ａ））。そこで、構内交換機Ｐは、メイン回線収容ボードＰ3aを使用して、局線Ｌからの外線電話を正常に着信処理するとともに、内線端末Ｑ2 からの内線電話の着信処理をすることができる。
【００４３】
構内交換機Ｐのメイン回線収容ボードＰ3a内の任意の１回線が故障すると、マイクロコンピュータ１２は、回線切替マトリクス１１を介し、回避用の回線として、サブ回線収容ボードＰ3b内の回線を一括選択する（図１３（Ｂ））。すなわち、マイクロコンピュータ１２は、回線切替マトリクス１１を介し、入力端子ＩＡi の全部をサブ回線収容ボードＰ3b側の出力端子ＯＢi に一括して切り替えることができる。
【００４４】
また、マイクロコンピュータ１２は、さらにサブ回線収容ボードＰ3bに故障が発生したとき、または構内交換機Ｐのシステムダウンによる全回線の故障が発生したとき、回避用の回線として、パッチコード１７ａを介して内線端末Ｑ2 用の内線端末回線を選択する（同図（Ｃ））。たとえば、入力端子ＩＡ1 に局線Ｌ側の回線が接続され、入力端子ＩＡn に内線端末Ｑ2 が接続されており、中継用の入力端子ＩＢ1 、ＩＢn がパッチコード１７ａを介して接続されているとき、マイクロコンピュータ１２は、回線切替マトリクス１１を介し、出力端子ＯＡ1 を開放して入力端子ＩＡ1 、ＩＢ1 を接続するとともに、入力端子ＩＡn 、ＩＢn を接続することにより、パッチコード１７ａを介して入力端子ＩＡ1 を入力端子ＩＡn に対応する内線端末Ｑ2 に直結することができる。
【００４５】
【発明の効果】
以上説明したように、この発明によれば、回線切替マトリクスと、回線切替マトリクスを介して構内交換機の故障回線を回避させるマイクロコンピュータとを備えることによって、マイクロコンピュータは、構内交換機の特定の回線に故障が生じたことを検出すると、当該回線の構内交換機側を別の回線に自動的に切り替え、外部からの電話の着信機能を維持させることができるから、ＣＴＩ機能付きの構内交換機がパーソナルコンピュータの暴走等によって部分的または全体的にダウンしたとしても、それによって電話系のシステムが全体として機能喪失してしまうという致命的な事態を有効に防止し、電話系のシステムの機能を正常に維持することができるという優れた効果がある。
【図面の簡単な説明】
【図１】  全体構成ブロック系統図（１）
【図２】  全体構成ブロック系統図（２）
【図３】  使用状態説明図
【図４】  要部ブロック系統図（１）
【図５】  要部ブロック系統図（２）
【図６】  動作説明図
【図７】  他の実施の形態を示す図１相当図（１）
【図８】  他の実施の形態を示す図３相当図（１）
【図９】  要部ブロック系統図（３）
【図１０】  図７、図８の動作説明図
【図１１】  他の実施の形態を示す図１相当図（２）
【図１２】  他の実施の形態を示す図３相当図（２）
【図１３】  図１１、図１２の動作説明図
【符号の説明】
Ｌ…局線
Ｐ…構内交換機
Ｑ1 …専用端末
Ｑ2 …内線端末
Ｐ3b…サブ回線収容ボード
１１…回線切替マトリクス
１２…マイクロコンピュータ
１７ａ…パッチコード
【図１】
0004247455.tif 000002
【図２】
0004247455.tif 000003
【図３】
0004247455.tif 000004
【図４】
0004247455.tif 000005
【図５】
0004247455.tif 000006
【図６】
0004247455.tif 000007
【図７】
0004247455.tif 000008
【図８】
0004247455.tif 000009
【図９】
0004247455.tif 000010
【図１０】
0004247455.tif 000011
【図１１】
0004247455.tif 000012
【図１２】
0004247455.tif 000013
【図１３】
0004247455.tif 000014